(57)【要約】【課題】袋状セパレータ内での電極の移動を抑制することができる蓄電装置を提供すること。【解決手段】二次電池において、袋状セパレータ２０には正極電極１２が収納されている。正極電極１２は、第１の辺１２ａから突出した形状の集電タブ１６と、第２の辺１２ｂから突出した形状の位置決めタブ１７を備える。袋状セパレータ２０は、第１の辺１２ａに沿って集電タブ１６を挟む位置を溶着した第１溶着部２５を備えるとともに、第２の辺１２ｂに沿って位置決めタブ１７を挟む位置を溶着した第２溶着部２６を備える。【選択図】図３
2017117648.tif 000002
【特許請求の範囲】
【請求項１】
異なる極性の電極同士を絶縁した状態で積層した電極組立体を備え、
前記電極が、金属箔の少なくとも片面に活物質層を備えるとともに、第１の辺から突出した形状の集電タブを有し、前記異なる極性の電極同士が、いずれか一方の電極を両面から挟むシート状のセパレータ部材を溶着して構成された袋状セパレータによって絶縁されている蓄電装置であって、
前記一方の極性の電極は、前記集電タブの存在する第１の辺とは異なる第２の辺から突出した形状の位置決めタブを備え、
前記袋状セパレータは、前記第１の辺からの前記集電タブの突出方向に沿って該第１の辺よりもはみ出した各セパレータ部材の第１余剰部を備え、かつ対向する第１余剰部同士で前記第１の辺に沿って前記集電タブを挟む位置を溶着した第１溶着部を備えるとともに、
前記第２の辺からの前記位置決めタブの突出方向に沿って該第２の辺よりはみ出した各セパレータ部材の第２余剰部を備え、かつ対向する第２余剰部同士で前記第２の辺に沿って前記位置決めタブを挟む位置を溶着した第２溶着部を備えることを特徴とする蓄電装置。
【請求項２】
前記第１溶着部は、前記集電タブを除く前記第１の辺の全体に沿って前記第１余剰部に存在し、前記第２溶着部は、前記位置決めタブを除く前記第２の辺の全体に沿って前記第２余剰部に存在する請求項１に記載の蓄電装置。
【請求項３】
前記位置決めタブの存在する前記第２の辺は、前記集電タブの存在する第１の辺の対辺である請求項１又は請求項２に記載の蓄電装置。
【請求項４】
前記位置決めタブは、前記第２の辺の中間に存在する請求項３に記載の蓄電装置。
【請求項５】
前記蓄電装置は二次電池である請求項１〜請求項４のうちいずれか一項に記載の蓄電装置。  
【発明の詳細な説明】
【技術分野】
【０００１】
本発明は、電極が袋状セパレータに収納されている蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池としては、例えば矩形シート状の正極の電極と、矩形シート状の負極の電極と、これらを絶縁するセパレータとを、交互に積み重ねた積層型の電極組立体を備えるものが知られている。正極及び負極の電極は、金属箔の両面に活物質層を備えるとともに、電極の一辺から突出した形状の集電タブを備える。
【０００３】
しかし、積層構造は、正極の電極、負極の電極、及びセパレータを、順に積み重ねていく製造工程を経るので、積み重ね工程の数が多くなる。よって、生産のタクトタイムが長く、生産性がよくないという課題があった。そこで、例えば正極の電極を袋状セパレータの内部に予め収納したものが知られている。
【０００４】
このような袋状セパレータの製造方法の一例としては、対峙するセパレータ部材同士の間に電極を予め配置しておき、それら一対のセパレータ部材において電極の外形を構成する各辺からはみ出した余剰部同士を、溶着用ツールで挟み込んで溶着する。（例えば、特許文献１参照）。
【先行技術文献】
【特許文献】
【０００５】
【特許文献１】特開２０１３−１７８９５１号公報
【発明の概要】
【発明が解決しようとする課題】
【０００６】
しかし、特許文献１に開示のように、袋状セパレータでは、セパレータ部材同士の溶着の際、溶着用ツールの間に、電極における活物質層の部分を挟み込まずにセパレータ部材だけを溶着する必要がある。袋状セパレータの製造設備において、溶着用ツールがセパレータ部材に接触する位置は機械的に定まるため、ほぼ一定であるが、セパレータ部材に挟まれる電極においては、その配置の際のずれが生じやすい。このため、電極の配置は、溶着用ツールがセパレータ部材に接触する位置から活物質層の部分までに一定のクリアランスを空けるようにして行われる。
【０００７】
このため、袋状セパレータに収納された電極においては、金属箔製の薄い集電タブが撚れると、クリアランスが存在することから、集電タブの根本に存在する活物質層の部分が袋状セパレータ内で移動してしまう。
【０００８】
本発明は、袋状セパレータ内での電極の移動を抑制することができる蓄電装置を提供することにある。
【課題を解決するための手段】
【０００９】
上記問題点を解決するための蓄電装置は、異なる極性の電極同士を絶縁した状態で積層した電極組立体を備え、前記電極が、金属箔の少なくとも片面に活物質層を備えるとともに、第１の辺から突出した形状の集電タブを有し、前記異なる極性の電極同士が、いずれか一方の電極を両面から挟むシート状のセパレータ部材を溶着して構成された袋状セパレータによって絶縁されている蓄電装置であって、前記一方の極性の電極は、前記集電タブの存在する第１の辺とは異なる第２の辺から突出した形状の位置決めタブを備え、前記袋状セパレータは、前記第１の辺からの前記集電タブの突出方向に沿って該第１の辺よりもはみ出した各セパレータ部材の第１余剰部を備え、かつ対向する第１余剰部同士で前記第１の辺に沿って前記集電タブを挟む位置を溶着した第１溶着部を備えるとともに、前記第２の辺からの前記位置決めタブの突出方向に沿って該第２の辺よりはみ出した各セパレータ部材の第２余剰部を備え、かつ対向する第２余剰部同士で前記第２の辺に沿って前記位置決めタブを挟む位置を溶着した第２溶着部を備えることを要旨とする。
【００１０】
これによれば、集電タブ及び位置決めタブは、各タブの存在する辺に沿う両側から各溶着部によって挟まれており、集電タブと位置決めタブは、それらの存在する辺に沿う方向への移動が抑制され、位置決めされている。すなわち、一方の極性の電極は、集電タブと位置決めタブの２箇所で袋状セパレータに位置決めされており、袋状セパレータ内での活物質層の部分の移動が抑制されている。その結果として、集電タブ及び位置決めタブが撚れにくくなり、集電タブ及び位置決めタブの撚れを原因とした活物質層の部分の移動も抑制される。よって、袋状セパレータに電極が収納され、その電極の活物質層の部分と各溶着部の間にクリアランスが存在しても、袋状セパレータ内での電極の移動を抑制できる。
【００１１】
また、蓄電装置について、前記第１溶着部は、前記集電タブを除く前記第１の辺の全体に沿って前記第１余剰部に存在し、前記第２溶着部は、前記位置決めタブを除く前記第２の辺の全体に沿って前記第２余剰部に存在してもよい。
【００１２】
これによれば、例えば、各タブの存在する辺に沿って間隔を空けて第１溶着部を形成した場合と比べると、溶着部の面積が大きくなり、袋状セパレータの形状を維持しやすい。
また、蓄電装置について、前記位置決めタブの存在する前記第２の辺は、前記集電タブの存在する第１の辺の対辺であってもよい。
【００１３】
これによれば、一方の極性の電極において、活物質層の部分を挟んだ位置に集電タブと位置決めタブが存在する。このため、集電タブと位置決めタブが位置決めされると、活物質層の部分の移動をより好適に抑制可能となる。
【００１４】
また、蓄電装置について、前記位置決めタブは、前記第２の辺の中間に存在してもよい。
これによれば、集電タブと位置決めタブが位置決めされることにより、両タブによって挟まれた活物質層の部分の移動をより好適に抑制可能となる。
【００１５】
前記蓄電装置は二次電池である。
【発明の効果】
【００１６】
本発明によれば、袋状セパレータ内での電極の移動を抑制することができる。
【図面の簡単な説明】
【００１７】
【図１】実施形態の二次電池の外観を示す斜視図。
【図２】電極組立体を示す分解斜視図。
【図３】袋状セパレータを示す平面図。
【図４】位置決めタブを示す断面図。
【図５】袋状セパレータの製造装置を模式的に示す斜視図。
【図６】溶着部の別例を示す平面図。
【図７】位置決めタブの別例を示す平面図。
【発明を実施するための形態】
【００１８】
以下、蓄電装置を具体化した一実施形態を図１〜図５にしたがって説明する。
図１に示すように、蓄電装置としての二次電池１０は、例えばリチウムイオン二次電池である。二次電池１０は、電極組立体１１と、図示しない電解液と、電極組立体１１及び電解液を収容しているケース３０と、電極組立体１１と電気を授受するための２つの端子３１と、を備えている。
【００１９】
図２に示すように、電極組立体１１は、複数の正極電極１２と、複数の負極電極１３と、複数の袋状セパレータ２０と、を備えている。電極組立体１１は、正極電極１２と負極電極１３が袋状セパレータ２０によって相互に絶縁された状態で層状に重なった構造を備えている。
【００２０】
正極電極１２及び負極電極１３は、矩形シート状である。正極電極１２及び負極電極１３は、金属箔１４を備えている。正極電極１２の金属箔１４は、例えばアルミニウム箔であり、負極電極１３の金属箔１４は、例えば銅箔である。正極電極１２及び負極電極１３は、金属箔１４の両面を覆っている活物質層１５を備える。活物質層１５は、それぞれの極性用の活物質、バインダ、及び導電助剤などを含有している。また、正極電極１２及び負極電極１３は、金属箔１４の辺から突出した形状の集電タブ１６を備えている。
【００２１】
図３に示すように、正極電極１２は、集電タブ１６の突出した長辺に第１の辺１２ａを備え、この第１の辺１２ａの途中から集電タブ１６が突出している。第１の辺１２ａからの集電タブ１６の突出寸法Ｌ１は、集電タブ１６が袋状セパレータ２０から突出するような寸法に設定されている。
【００２２】
正極電極１２は、第１の辺１２ａの対辺となる長辺に第２の辺１２ｂを備える。正極電極１２は、第２の辺１２ｂの中間に位置決めタブ１７を備える。位置決めタブ１７の第２の辺１２ｂからの突出寸法Ｌ２は、集電タブ１６の突出寸法Ｌ１より短い。また、位置決めタブ１７の突出寸法Ｌ２は、位置決めタブ１７が袋状セパレータ２０から突出しない寸法に設定されている。正極電極１２は、第１の辺１２ａの一端と第２の辺１２ｂの一端を繋ぐ短辺１２ｃを備え、第１の辺１２ａの他端と第２の辺１２ｂの他端を繋ぐ短辺１２ｄを備える。
【００２３】
図２に示すように、負極電極１３は、集電タブ１６の突出した長辺に第１の辺１３ａを備え、第１の辺１３ａの対辺となる長辺に第２の辺１３ｂを備える。負極電極１３は、第１の辺１３ａの一端と第２の辺１３ｂの一端を繋ぐ短辺１３ｃを備え、第１の辺１３ａの他端と第２の辺１３ｂの他端を繋ぐ短辺１３ｄを備える。
【００２４】
図２又は図３に示すように、正極電極１２は、袋状セパレータ２０に収容されている。袋状セパレータ２０は、２枚のセパレータ部材２１を溶着した構造である。セパレータ部材２１は、多孔質な絶縁体であり、矩形シート状である。セパレータ部材２１は、集電タブ１６の突出方向に沿って、正極電極１２の第１の辺１２ａからはみ出した第１余剰部２２を備えるとともに、位置決めタブ１７の突出方向に沿って、正極電極１２の第２の辺１２ｂからはみ出した第２余剰部２３を備える。第１余剰部２２及び第２余剰部２３は、セパレータ部材２１の長辺の全体に沿って存在する。第１余剰部２２及び第２余剰部２３は、セパレータ部材２１の短手方向の両端部に存在し、セパレータ部材２１は、第１余剰部２２と第２余剰部２３で挟まれた部位に本体部２４を備える。
【００２５】
袋状セパレータ２０は、正極電極１２の第１の辺１２ａに沿って存在する第１溶着部２５を備える。第１溶着部２５は、２枚のセパレータ部材２１の第１余剰部２２のうち、集電タブ１６に対峙する部位を除いた部分が熱溶着されて構成されている。よって、第１溶着部２５は、第１の辺１２ａに沿った集電タブ１６の両側に存在する。集電タブ１６において、第１の辺１２ａからの突出方向に直交し、かつ集電タブ１６の面に沿う方向を幅方向とすると、第１溶着部２５は、集電タブ１６を幅方向両側から挟んでいる。また、第１溶着部２５は、第１の辺１２ａに沿って集電タブ１６の直近に存在する。したがって、第１溶着部２５は、対向する第１余剰部２２同士で第１の辺１２ａに沿って集電タブ１６を挟む位置を溶着して形成されている。
【００２６】
なお、セパレータ部材２１の第１余剰部２２同士を溶着する際、活物質層１５が第１余剰部２２の間に挟み込まれないようにするため、第１溶着部２５は、正極電極１２の第１の辺１２ａから離れて配置される。このため、セパレータ部材２１の短手方向に沿った第１の辺１２ａと第１溶着部２５の間にはクリアランスが存在する。
【００２７】
また、袋状セパレータ２０は、正極電極１２の第２の辺１２ｂに沿って存在する第２溶着部２６を備える。第２溶着部２６は、２枚のセパレータ部材２１の第２余剰部２３のうち、位置決めタブ１７に対峙する部位を除いた部分を熱溶着して構成されている。よって、第２溶着部２６は、第２の辺１２ｂに沿う方向において位置決めタブ１７の両側に存在する。したがって、第２溶着部２６は、対向する第２余剰部２３同士で第２の辺１２ｂに沿って位置決めタブ１７を挟む位置を溶着して形成されている。
【００２８】
図３又は図４に示すように、位置決めタブ１７において、第２の辺１２ｂからの突出方向に直交し、かつ位置決めタブ１７の面に沿う方向を幅方向とすると、第２溶着部２６は、位置決めタブ１７を幅方向両側から挟むとともに、位置決めタブ１７の先端より先にも存在している。このため、位置決めタブ１７は、三方から第２溶着部２６に囲まれている。
【００２９】
なお、セパレータ部材２１の第２余剰部２３同士を溶着する際、活物質層１５が第２余剰部２３の間に挟み込まれないようにするため、第２溶着部２６は、正極電極１２の第２の辺１２ｂから離れて配置される。このため、セパレータ部材２１の短手方向に沿った第２の辺１２ｂと第２溶着部２６の間にはクリアランスが存在する。袋状セパレータ２０において、正極電極１２の短辺１２ｃ，１２ｄに沿う部分は溶着されていない。
【００３０】
次に、二次電池１０の作用及び効果を記載する。
図２又は図３に示すように、袋状セパレータ２０を備えた二次電池１０において、正極電極１２は、集電タブ１６の存在する第１の辺１２ａとは異なる第２の辺１２ｂに位置決めタブ１７を備える。そして、袋状セパレータ２０は、集電タブ１６を幅方向両側から挟む第１溶着部２５を備えるとともに、位置決めタブ１７を幅方向両側から挟む第２溶着部２６を備える。このため、正極電極１２は、集電タブ１６が第１溶着部２５によって位置決めされ、位置決めタブ１７が第２溶着部２６によって位置決めされる。
【００３１】
位置決めタブ１７が存在しない場合は、正極電極１２において、集電タブ１６より大きな活物質層１５の部分の存在により、金属箔製の薄い集電タブ１６が撚れやすいが、集電タブ１６と位置決めタブ１７の２箇所が袋状セパレータ２０に位置決めされることにより、袋状セパレータ２０内で活物質層１５の部分の移動が抑制される。その結果として、集電タブ１６が撚れにくくなり、集電タブ１６の撚れを原因とした活物質層１５の部分の移動も抑制される。よって、袋状セパレータ２０に正極電極１２が収納され、その正極電極１２の活物質層１５の部分と各溶着部２５，２６の間にクリアランスが存在しても、袋状セパレータ２０内での正極電極１２の移動が抑制される。
【００３２】
また、袋状セパレータ２０において、第１溶着部２５は、集電タブ１６を除いた第１の辺１２ａの全体に沿ってセパレータ部材２１の第１余剰部２２同士を溶着し、第２溶着部２６は、位置決めタブ１７を除いた第２の辺１２ｂの全体に沿ってセパレータ部材２１の第２余剰部２３同士を溶着して形成されている。このため、セパレータ部材２１同士の溶着面積を大きく確保して、袋状セパレータ２０の状態を維持できる。
【００３３】
また、第２溶着部２６は、セパレータ部材２１の第２余剰部２３のうち、位置決めタブ１７を除く部位全体を溶着して構成され、位置決めタブ１７の先端よりも先の部分も溶着されている。よって、位置決めタブ１７を三方から囲む状態で第２溶着部２６が存在しており、第２溶着部２６によって位置決めタブ１７の幅方向への移動、及び突出方向への移動を好適に抑制でき、袋状セパレータ２０の短手方向への正極電極１２の移動も抑制できる。
【００３４】
また、位置決めタブ１７は、集電タブ１６の存在する第１の辺１２ａの対辺となる第２の辺１２ｂに存在し、正極電極１２の活物質層１５の部分を挟んで集電タブ１６と位置決めタブ１７が存在している。そして、集電タブ１６と位置決めタブ１７が位置決めされることで、それら集電タブ１６と位置決めタブ１７で挟まれた活物質層１５の部分の移動を好適に抑制できる。
【００３５】
さらに、位置決めタブ１７は、第２の辺１２ｂの中間に存在する。このため、第２の辺１２ｂに沿う位置決めタブ１７の両側に活物質層１５が同じ大きさで存在し、活物質層１５の部分の移動を抑制しやすくなる。
【００３６】
そして、袋状セパレータ２０は、位置決めタブ１７を幅方向の両側から挟むように第２溶着部２６を備えることで、正極電極１２の袋状セパレータ２０内での活物質層１５の部分の移動を抑制できる。よって、２枚のセパレータ部材２１の溶着箇所を、第１溶着部２５と第２溶着部２６の２箇所だけ形成することで、正極電極１２の袋状セパレータ２０内での移動を抑制できる。したがって、正極電極１２の４辺に沿って溶着部を形成し、４つの溶着部で正極電極１２を囲むことで正極電極１２の移動を抑制する場合と較べて、溶着部を形成する箇所が減り、袋状セパレータ２０の生産のタクトタイムを短くすることができる。
【００３７】
次に、袋状セパレータ２０の加工装置５０について説明する。
図５に示すように、加工装置５０は、帯状セパレータ２９を、正極電極１２を収容した状態の袋状セパレータ２０に加工する工程に用いられる装置である。この工程は、正極電極１２を袋状セパレータ２０で包む工程である。なお、袋状セパレータ２０を構成するセパレータ部材２１は、長尺な帯状セパレータ２９から製造される。
【００３８】
搬送方向Ｄ１は、加工装置５０において、帯状セパレータ２９が搬送される方向を示している。搬送方向Ｄ１は、帯状セパレータ２９の長手方向と一致する。また、幅方向Ｄ２は、帯状セパレータ２９の面に沿う方向のうち、搬送方向Ｄ１と直交する方向を示している。
【００３９】
帯状セパレータ２９は、長手方向に沿う第１縁部Ｅ１と、幅方向Ｄ２において第１縁部Ｅ１の反対の第２縁部Ｅ２と、を備えている。加工装置５０は、ロール状に捲回された帯状セパレータ２９を支持するホルダ５２を一対備える。各ホルダ５２は、帯状セパレータ２９の搬送速度に合わせて、帯状セパレータ２９を送出する。
【００４０】
加工装置５０は、２枚の帯状セパレータ２９の間に正極電極１２を挿入する電極搬送機構５４を備える。電極搬送機構５４は、例えばベルトコンベアや、ガイドレールに沿って移動するテーブルなどである。電極搬送機構５４は、集電タブ１６及び位置決めタブ１７の各辺からの突出方向と、幅方向Ｄ２とが一致した状態となるように、正極電極１２を２枚の帯状セパレータ２９の間に挿入する。集電タブ１６は、帯状セパレータ２９の第１縁部Ｅ１側に配置され、位置決めタブ１７は、帯状セパレータ２９の第２縁部Ｅ２側に配置される。
【００４１】
加工装置５０は、帯状セパレータ２９を搬送する一対の搬送ロール５６を備えている。各搬送ロール５６の軸心は、それぞれ幅方向Ｄ２に沿って延在している。各搬送ロール５６は、それぞれの軸心まわりで回転できるように図示しない駆動装置に支持されている。
【００４２】
加工装置５０は、２枚の帯状セパレータ２９を熱溶着する溶着ロール６１と支持ロール６２を備える。溶着ロール６１と支持ロール６２は、２枚の帯状セパレータ２９を搬送方向Ｄ１に沿って溶着する。溶着ロール６１及び支持ロール６２の軸心は、それぞれ幅方向Ｄ２に沿って延在している。溶着ロール６１及び支持ロール６２は、それぞれの軸心まわりで回転できるように図示しない駆動装置に支持されている。
【００４３】
溶着ロール６１は、軸心の延びる方向の両端部に溶着用凸部６１ａを備える。各溶着用凸部６１ａは、溶着ロール６１の外周面から突出し、かつ溶着ロール６１の周方向の全体に亘って存在する。一方の溶着用凸部６１ａは、帯状セパレータ２９の第１縁部Ｅ１に対応し、他方の溶着用凸部６１ａは、帯状セパレータ２９の第２縁部Ｅ２に対応している。溶着用凸部６１ａは、連続する円環状である。また、幅方向Ｄ２に沿う溶着用凸部６１ａの寸法は、袋状セパレータ２０の短手方向に沿う第１溶着部２５及び第２溶着部２６の寸法と同じである。溶着ロール６１は、図示しない発熱体を備えている。溶着ロール６１の溶着用凸部６１ａは、発熱体によって、帯状セパレータ２９が溶融する温度まで加熱される。
【００４４】
加工装置５０は、２枚の帯状セパレータ２９を幅方向Ｄ２に沿って切断する切断刃５９を備え、この切断刃５９は、帯状セパレータ２９の幅方向Ｄ２全体に亘って存在している。切断刃５９が予め定めた周期で往復動作することにより、帯状セパレータ２９が予め定めた間隔で切断される。
【００４５】
そして、各ホルダ５２から送り出された２枚の帯状セパレータ２９は、搬送ロール５６によって搬送される。２枚の帯状セパレータ２９の間には、電極搬送機構５４によって正極電極１２が挿入される。正極電極１２が挿入された後、溶着ロール６１が軸心まわりで回転することにより、各溶着用凸部６１ａによって帯状セパレータ２９の各縁部Ｅ１，Ｅ２が搬送方向Ｄ１に沿って熱溶着される。このとき、帯状セパレータ２９の第１縁部Ｅ１側に第１余剰部２２となる部分が存在し、第２縁部Ｅ２側に第２余剰部２３となる部分が存在する。
【００４６】
そして、第１溶着部２５に正極電極１２が挟まれないように、第１余剰部２２となる部分と第１の辺１２ａとの間にクリアランスを確保した状態で、第１縁部Ｅ１に沿って溶着用凸部６１ａが移動し、溶着用凸部６１ａからの熱によって帯状セパレータ２９同士が熱溶着される。同様に、第２溶着部２６に正極電極１２が挟まれないように、第２余剰部２３となる部分と第２の辺１２ｂとの間にクリアランスを確保した状態で、第２縁部Ｅ２に沿って溶着用凸部６１ａが移動し、溶着用凸部６１ａからの熱によって帯状セパレータ２９同士が熱溶着される。
【００４７】
その結果、２枚の帯状セパレータ２９の第１縁部Ｅ１に沿って第１溶着部２５が形成され、第２縁部Ｅ２に沿って第２溶着部２６が形成される。したがって、２枚の帯状セパレータ２９は、正極電極１２が間に介在された状態において、該正極電極１２の第１の辺１２ａ及び第２の辺１２ｂに沿って熱溶着される。
【００４８】
したがって、袋状セパレータ２０の製造において、第１溶着部２５及び第２溶着部２６は、帯状セパレータ２９の第１縁部Ｅ１及び第２縁部Ｅ２に沿って溶着用凸部６１ａを接触させることで形成される。すなわち、集電タブ１６及び位置決めタブ１７を避けることなく溶着用凸部６１ａを帯状セパレータ２９に接触させることで、第１溶着部２５及び第２溶着部２６が形成される。このため、第１溶着部２５は、集電タブ１６の幅方向両側の直近に形成され、第２溶着部２６は、位置決めタブ１７の幅方向両側の直近に形成される。
【００４９】
なお、上記実施形態は以下のように変更してもよい。
○  実施形態では、第１溶着部２５を、第１余剰部２２のうち集電タブ１６を除く部位全体を溶着して形成したが、これに限らない。
【００５０】
例えば、図６に示すように、第１溶着部２５は、第１の辺１２ａに沿って第１余剰部２２に間隔を空けて形成されていてもよい。同様に、第２溶着部２６は、第２余剰部２３のうち位置決めタブ１７を除く部位全体を溶着して形成したが、第２溶着部２６は、第２の辺１２ｂに沿って第２余剰部２３に間隔を空けて形成されていてもよい。
【００５１】
○  実施形態では、位置決めタブ１７を、集電タブ１６が存在する第１の辺１２ａの対辺となる第２の辺１２ｂに設けたが、第１の辺１２ａとは異なる辺であれば、短辺１２ｃ，１２ｄに位置決めタブ１７を設けてもよい。
【００５２】
例えば、図７に示すように、正極電極１２の短辺１２ｃを第２の辺とし、この短辺１２ｃに位置決めタブ１７を設け、位置決めタブ１７を位置決めするように短辺１２ｃに沿ってセパレータ部材２１同士を溶着して第２溶着部２７を形成してもよい。この場合、第１の辺１２ａの対辺に溶着部を形成してもよいし、無くてもよい。
【００５３】
○  実施形態では、位置決めタブ１７を、第２の辺１２ｂの中間に設けたが、位置決めタブ１７を、集電タブ１６の点対称となる位置に設けてもよい。
○  位置決めタブ１７は、第２の辺１２ｂに加えて、短辺１２ｃ，１２ｄに存在してもよい。
【００５４】
○  袋状セパレータ２０が収納する電極は負極電極１３であってもよい。
○  正極電極１２及び負極電極１３は、金属箔１４の両面に活物質層１５を有するとしたが、金属箔１４の片面のみに活物質層１５を有していてもよい。
【００５５】
○  蓄電装置は、二次電池１０でなく、電気二重層キャパシタ等の他の蓄電装置に適用してもよい。
○  二次電池１０は、リチウムイオン二次電池であったが、これに限らず、他の二次電池であってもよい。要するに、正極活物質と負極活物質との間をイオンが移動するとともに電荷の授受を行うものであればよい。
【符号の説明】
【００５６】
１０…蓄電装置としての二次電池、１１…電極組立体、１２…正極電極、１２ａ…第１の辺、１２ｂ…第２の辺、１３…負極電極、１４…金属箔、１５…活物質層、１６…集電タブ、１７…位置決めタブ、２０…袋状セパレータ、２１…セパレータ部材、２２…第１余剰部、２３…第２余剰部、２５…第１溶着部、２６…第２溶着部。
【図１】
2017117648.tif 000003
【図２】
2017117648.tif 000004
【図３】
2017117648.tif 000005
【図４】
2017117648.tif 000006
【図５】
2017117648.tif 000007
【図６】
2017117648.tif 000008
【図７】
2017117648.tif 000009